(57)【要約】【課題】  原稿の種類や読取により得られた画像データの用途に応じた使い方が可能な多機能画像読取装置であって、使いやすく小型の画像読取装置を提供する。【解決手段】  循環搬送路の対向位置で画像を読み取る互いに特性の異なる読取手段２個を用いて、原稿の種類や必要とする画像データに応じて読取手段を使い分け、片面読取及び両面読取を行う。【選択図】        図２
2007074487.tif 000002
【特許請求の範囲】
【請求項１】
原稿が搬送される循環搬送路、
該循環搬送路における第１読取位置で原稿の画像を読み取る第１読取手段及び該第１読取手段とは異なる読取性能を有し、前記循環搬送路における前記第１読取位置と対向する第２位置で原稿の画像を読み取る第２読取手段を有することを特徴とする画像読取装置。
【請求項２】
前記第１読取手段及び前記第２読取手段のいずれか一方がカラー画像として読み取るカラー読取手段からなり、他方がモノクロ画像として読み取るモノクロ読取手段からなることを特徴とする請求項１に記載の画像読取装置。
【請求項３】
前記第１、第２読取手段は互いに解像度が異なることを特徴とする請求項１又は請求項２に記載の画像読取装置。
【請求項４】
前記第１、第２読取手段は互いに感度が異なることを特徴とする請求項１〜３のいずれか１項に記載の画像読取装置。
【請求項５】
スイッチバック部及び、
搬送路の切り替えを行うゲートを有し、
前記第１読取手段及び前記第２読取手段による片面読取と、前記第１読取手段及び前記第２読取手段による両面読取とを前記ゲートの搬送路切り替えにより可能としたことを特徴とする請求項１〜４のいずれか１項に記載の画像読取装置。
【請求項６】
請求項１〜５のいずれか１項に記載の画像読取装置及び該画像読取装置が生成する画像データに基づいて画像を形成する画像形成装置を有することを特徴とする複写装置。
【発明の詳細な説明】
【技術分野】
【０００１】
本発明は画像読取装置及び複写装置に関する。
【背景技術】
【０００２】
カラー画像の読取とモノクロ画像の読取、原稿の種類や再生画像に要求される特性の違い等に応じて異なる性能の読取手段が必要となる。１台の読取装置にこのような多様な用途に対応できる性能を持たせることが提案されている。
【０００３】
例えば、特許文献１では、原稿搬送路に沿って片側にカラー画像読取手段とモノクロ画像読取手段とを配置し、用途に応じてこれら読取手段を使い分けることが提案されている。また、特許文献２では、原稿搬送路の両側に２個の読取手段を配置し、片面読取の場合に、いずれの面に画像があるかにより読取手段を選択して利用するなど、原稿の性質や必要とする画像データの違い（解像度の違い等）に応じて読取手段を使い分けることが提案されている。
【特許文献１】特開平９−３７０３９号公報
【特許文献２】特開２００３−１２５１６８号公報
【発明の開示】
【発明が解決しようとする課題】
【０００４】
特許文献１の画像読取装置では、２個の読取手段が搬送路に沿って近接して前後に配置される構造であるために、搬送部が大型になり、プラテンガラス上の原稿の画像読取のために開放されるなど、開閉操作される原稿搬送装置には適していない。特に、両面読取型の画像読取装置では、循環搬送路とスイッチバック搬送部との組み合わせにより表裏反転が行われるが、２個の読取手段を搬送路に沿って近接並列配置した特許文献１のものでは、循環搬送路が大型になって、開閉操作される画像読取装置には適さない。
【０００５】
特許文献２の方法では、２個の読取手段に性能の異なるものを用いて、画像の性質や用途に応じて読取手段を使い分ける場合に、第１面を読み取る読取手段の用途と第２面を読み取る読取手段の用途が決まっているために、用途に応じて原稿の表裏を決める必要があり、ユーザにとって使い勝手がよくない。
【０００６】
本発明は、２個の読取手段を用いて、原稿の違いや用途の違いに応じて読取手段を使い分けることにより、画像読取装置の機能を多様化し、その用途を拡大した画像読取装置において、特許文献１、２のような従来技術の問題を解決し、小型で使いやすい画像読取装置及びかかる画像読取装置を有する複写装置を提供することを目的とする。
【課題を解決するための手段】
【０００７】
前記目的は下記の発明により達成される
１．
原稿が搬送される循環搬送路、
該循環搬送路における第１読取位置で原稿の画像を読み取る第１読取手段及び該第１読取手段とは異なる読取性能を有し、前記循環搬送路における前記第１読取位置と対向する第２位置で原稿の画像を読み取る第２読取手段を有することを特徴とする画像読取装置。
２．
前記第１読取手段及び前記第２読取手段のいずれか一方がカラー画像として読み取るカラー読取手段からなり、他方がモノクロ画像として読み取るモノクロ読取手段からなることを特徴とする前記１に記載の画像読取装置。
３．
前記第１、第２読取手段は互いに解像度が異なることを特徴とする前記１又は前記２に記載の画像読取装置。
４．
前記第１、第２読取手段は互いに感度が異なることを特徴とする前記１〜３のいずれか１項に記載の画像読取装置。
５．
スイッチバック部及び、
搬送路の切り替えを行うゲートを有し、
前記第１読取手段及び前記第２読取手段による片面読取と、前記第１読取手段及び前記第２読取手段による両面読取とを前記ゲートの搬送路切り替えにより可能としたことを特徴とする前記１〜４のいずれか１項に記載の画像読取装置。
６．
前記１〜５のいずれか１項に記載の画像読取装置及び該画像読取装置が生成する画像データに基づいて画像を形成する画像形成装置を有することを特徴とする複写装置。
【発明の効果】
【０００８】
請求項１〜５の本発明により、原稿の違いや、用途の違いにより、読取手段を使い分けることによって多機能化され、しかも、画像形成装置との組み合わせで使用される場合に、開閉操作がしやすく小型の画像読取装置が実現される。
【０００９】
請求項５の発明により、両面読取が可能であり、小型の画像読取装置が実現される。
【００１０】
請求項６の発明により、画像形成装置の上面に設置され、開閉操作がしやすい画像読取装置が装備され、多様な原稿や多様な用途に対応可能な多機能な複写装置が実現される。
【発明を実施するための最良の形態】
【００１１】
以下に、図示の実施の形態により本発明を説明するが、本発明は該実施の形態に限られない。
［複写装置］
図１は本発明の実施の形態に係る複写装置の概略を示す。
【００１２】
複写装置は、画像読取装置Ａ及び画像形成装置Ｂからなる。
【００１３】
画像読取装置Ａは後に説明するように、給紙部に積載された原稿を１枚ずつ連続搬送して、片面読取及び両面読取を行い画像データを生成し、画像形成装置Ｂは画像読取装置Ａが生成する画像データに基づいて記録材上に画像を形成する。
【００１４】
イエロートナー像を形成する画像形成部Ｙは像形成体としての感光体１Ｙ、帯電装置２Ｙ、露光装置３Ｙ、現像装置４Ｙ、一次転写を行う転写手段としての転写装置５Ｙ及びクリーニング装置６Ｙを有し、マゼンタトナー像を形成する画像形成部Ｍは像形成体としての感光体１Ｍ、帯電装置２Ｍ、露光装置３Ｍ、現像装置４Ｍ、一次転写を行う転写手段としての転写装置５Ｍ及びクリーニング装置６Ｍを有し、シアントナー像を形成する画像形成部Ｃは像形成体としての感光体１Ｃ、帯電装置２Ｃ、露光装置３Ｃ、現像装置４Ｃ、一次転写を行う転写手段としての転写装置５Ｃ及びクリーニング装置６Ｃを有し、黒トナー像を形成する画像形成部Ｋは像形成体としての感光体１Ｋ、帯電装置２Ｋ、露光装置３Ｋ、現像装置４Ｋ、一次転写を行う転写装置５Ｋ及びクリーニング装置６Ｋを有する。帯電装置２Ｙ、露光装置３Ｙ及び現像装置４Ｙ、帯電装置２Ｍ、露光装置３Ｍ及び現像装置４Ｍ、帯電装置２Ｃ、露光装置３Ｃ及び現像装置４Ｃ、並びに帯電装置２Ｋ、露光装置３Ｋ及び現像装置４Ｙは、それぞれ、像形成体としての感光体１Ｙ、１Ｍ、１Ｃ、１Ｋ上にトナー像を形成する像形成手段を構成する。
【００１５】
画像形成部Ｙ、Ｍ、Ｃ、Ｋに対向して矢印のように循環移動する中間転写体２０が配置され、中間転写体２０の移動方向に関して、画像形成部Ｋの下流に二次転写を行う転写装置５Ａ及び転写装置５Ａの下流にクリーニング装置６Ａが配置される。
【００１６】
下方には、記録材Ｐを収納する２個の給紙トレイ１０、１１が配置され、また、記録材の搬送路の、転写装置５Ａの下流には、定着装置７が配置される。
【００１７】
記録画像を形成する画像形成工程においては、矢印のように回転する感光体１Ｙに対して帯電露光及び現像によりＹトナー像が形成され、転写装置５Ｙにより中間転写体２０にＹトナー像が転写される。同様に、感光体１Ｍ上にＭトナー像が形成され、転写装置５Ｍにより中間転写体２０上にＭトナー像が転写され、感光体１Ｃ上にＣトナー像が形成され、転写装置５Ｃにより中間転写体２０上にＣトナー像が転写され、感光体１Ｋ上にＫトナー像が形成され、転写装置５Ｋにより中間転写体２０上にＫトナー像が転写され、Ｙ、Ｍ、Ｃ、Ｋの各単色トナー像の形成は、中間転写体２０上で重なり一つの多色画像を形成されるようにタイミング制御される。
【００１８】
転写装置５Ｙ、５Ｍ、５Ｃ、５Ｋの転写により、中間転写体２０上に形成された多色トナー像は転写装置５Ａにより記録材Ｐに転写される。
【００１９】
記録材Ｐに転写された多色トナー像は定着装置７により定着され、定着後の記録材Ｐは排紙トレイ１３に排出される。
【００２０】
転写後の感光体１Ｙ、１Ｍ、１Ｃ、１Ｋ及び中間転写体２０はそれぞれ、クリーニング装置６Ｙ、６Ｍ、６Ｃ、６Ｋ、６Ａによりクリーニングされる。
【００２１】
両面画像形成においては、前記に説明した画像形成により片面に画像が形成された記録材Ｐは裏面用搬送路１２へと進行し、反転搬送路１２ａにおいて表裏反転した後に、再度転写装置５Ａの転写位置を通過して、裏面画像が記録材Ｐの裏面に転写される。裏面画像転写後に、記録剤Ｐは定着処理され、排紙トレイ１３に排紙される。
［画像読取装置の構成］
図２は本発明の実施の形態に係る画像読取装置の構成を示す。
【００２２】
画像読取装置は、給紙部としての給紙トレイＴＲ１Ａ、ＴＲ１Ｂ、排紙部としての排紙トレイＴＲ２、第１読取手段としての読取センサＳＫ１、第２読取手段としての読取センサＳＫ２、循環搬送路を形成し、ほぼ円形の円形搬送路ＣＨ、スイッチバック部ＳＷ、搬送路の切り替えを行うゲートＧ１、Ｇ２及びガイド部材Ｇ３を有する。
【００２３】
読取センサＳＫ１、ＳＫ２には、縮小結像光学系及びＣＣＤセンサを有する読取センサや密着型のラインセンサからなるコンタクトセンサ等従来周知のものを用いることができる。スイッチバック部ＳＷは搬入した原稿をスイッチバック搬送することにより表裏反転して搬出する搬送路で構成される。ゲートＧ１、Ｇ２は点線の位置と実線の位置とに切り替え制御される。案内部材Ｇ３はペットフィルム等の弾性板部材又はバネで付勢された板部材からなり、常時実線の位置にあるが、原稿の通過時に押されて点線の位置に変位し、原稿を一方向に案内する案内部材である。
【００２４】
原稿を表裏反転せず循環搬送する循環搬送路として図示のようにほぼ円形の搬送路ＣＨが形成され、読取センサＳＫ１、ＳＫ２は搬送路ＣＨが形成する円のほぼ対向位置にある第１、第２読取位置Ｒ１、Ｒ２において画像読取を行う。
【００２５】
図３は図２に示す画像読取装置の制御系のブロック図である。
【００２６】
制御手段ＣＲは、読取センサＳＫ１、ＳＫ２、ゲートＧ１、Ｇ２を制御して、以下に説明するように、読取センサＳＫ１、ＳＫ２を用いて片面読取、両面読取を行う。制御手段ＣＲは、また、後に説明するように、操作部ＯＰにおける設定操作に従って、或いは検知されて原稿の種類に応じて各種のモードで画像読取を実行する。画像処理手段ＧＰは読取センサＳＫ１、ＳＫ２からの画像信号を処理して、露光装置３（図１における露光装置３Ｙ、３Ｍ、３Ｃ、３Ｋを纏めて示す）の発光を制御する画像データを生成する。
【００２７】
読取センサＳＫ１と読取センサＳＫ２とは、互いに異なる性能を有する。即ち、読取センサにＳＫ１、ＳＫ２には次のような性能の異なるものを用いることができる。
【００２８】
読取センサＳＫ１、ＳＫ２に性能の異なるものを用いる例としては次のようなものがある。
（１）
読取センサＳＫ１・・・・・カラー画像として読み取るカラーセンサ（カラー読取手段）
読取センサＳＫ２・・・・・モノクロ画像として読み取るモノクロセンサ（モノクロ読取手段）
カラーセンサはＢＧＲの３原色光に対応した画像信号を出力するセンサを有し、モノクロセンサは、画像を読み取って濃度情報としての画像信号を出力する。画像処理手段ＧＰは読取センサＳＫ１からの画像データに対しては、イエロー画像データ、マゼンタ画像データ、シアン画像データ及び黒画像データを生成する画像処理を行い、読取センサＳＫ２からの画像データに対しては、モノクロ画像データを生成する画像処理を行う。
【００２９】
カラー画像としての画像処理を行うか又はモノクロ画像としての画像処理を行うかは、原稿がカラー原稿かモノクロ原稿かにより決定されるが、原稿がカラーかモノクロかは操作部ＯＰにおける設定情報に基づく場合の他に、読取センサＳＫ１のの読取信号を処理することによっても決定される。即ち、１頁の画像を読み取った画像信号中にカラー画像信号がある場合には、カラー画像と判定される。この判定によれば、画像の一部にでもカラー画像が存在する場合でもカラー画像として画像処理することができる。このことからカラー画像かモノクロ黒画像かは１頁毎にに判定される。
【００３０】
一般に、カラー画像読取の場合の原稿搬送速度はモノクロ画像読取の場合の搬送速度よりも遅いが、制御手段ＣＲは読取画像がカラーかモノクロかにより、原稿搬送用のモータ（図示せず）を制御して原稿搬送速度を切り替え、カラー画像に対しては、原稿の低速搬送で読取を行い、モノクロ画像に対しては、高速搬送で読取を行う。読取画像がカラーかモノクロかの情報は、操作部ＯＰにおける設定操作から得られる。
（２）
読取センサＳＫ１・・・・・高解像度センサ
読取センサＳＫ２・・・・・低解像度センサ
読取センサＳＫ１で高解像度で精細画像の読取を行い、読取センサＳＫ２で普通解像度の読取を行う。
【００３１】
精細画像の読取と普通画像の読取とを速度を変えて行うことが可能である。また、画像処理ＧＰは精細画像読取によって得られ画像データと普通画像読取によって得られた画像データに対して、階調性等の点で異なった画像処理を行う。
（３）
読取センサＳＫ１・・・・・高感度読取
読取センサＳＫ２・・・・・低感度読取
中間調画像のように、全体的に濃いめの画像画像に対しては、高感度の読取センサＳＫ１を用い、文字文書等の文字画像のような通常画像に対しては比較的感度の低い読取センサＳＫ２を用いて読取が行われる。
【００３２】
低濃度画像か通常画像かの情報は、操作部ＯＰにおける設定操作か得られるか、又は、読取センサＳＫ１による原稿先端部の読取情報から得られる。
【００３３】
画像処理部ＧＰは低濃度画像の読取により得られた画像データと、通常画像の読取により得られた画像データとに対して異なる画像処理を行う。
〔実施の形態１〕
次に、読取センサＳＫ１、ＳＫ２による片面読取及び両面読取について、読取センサＳＫ１がカラーセンサであり、読取センサＳＫ２がモノクロセンサである場合を例に図４、５を参照して説明する。
【００３４】
なお、以下の説明において各部品の符号については、図面が煩雑になるのを避けるために図２を引用して説明し、図４、５には原稿及び読取センサにのみ符号を付す。また、読取状態にある読取センサを黒色で示し、読取状態にない読取センサを白抜きで示す。
【００３５】
本実施の形態においては、読取センサＳＫ１によるカラー画像の読取及び読取センサＳＫ２によるモノクロ画像の読取が等しい読取速度で行われる。
＜片面読取＞
図４ａ〜図４ｂに示すように、原稿Ｄ１、Ｄ２が連続搬送され、読取センサＳＫ１、ＳＫ２がそれぞれ原稿Ｄ１、Ｄ２の読取を行う。即ち、読取センサＳＫ１は原稿Ｄ１〜Ｄ４を図４ａ〜図４ｄにおいて読取、読取センサＳＫ２は原稿Ｄ１〜Ｄ４を図４ｂ〜図４ｄにおいて読み取る。なお、読取センサＳＫ１、ＳＫ２の読取タイミングは原稿の長さにより変わる。
【００３６】
制御手段ＣＲは、原稿がカラーかモノクロかの情報に基づいて、読取センサＳＫ１の出力又は読取センサＳＫ２の出力を選択し、画像読取装置の画像データとして外部に出力する。
＜両面読取＞
原稿Ｄ１が第１読取位置Ｒ１を通過し、読取センサＳＫ１により原稿Ｄ１の第１面が読み取られる（図５ａ）。
【００３７】
原稿Ｄ１は円形搬送路ＣＨに沿って進行し、第２読取位置Ｒ２を通過し、読取センサＳＫ２による読取が行われる（図５ｂ）。
【００３８】
第２読取位置を通過後、原稿Ｄ１はゲートＧ１によりガイドされてスイッチバック部ＳＷに進行し（図５ｃ）、スイッチバック部ＳＷからゲートＧ２によりガイドされて第１読取位置Ｒ１へと進行し、原稿Ｄ１の第２面の読取センサＳＫ１による読取が行われる（図５ｅ）。
【００３９】
第２面の読取後、原稿Ｄ１は円形搬送路ＣＨに沿って進行し、第２読取位置Ｒ２を通過し、読取センサＳＫ２による原稿Ｄ１の第２面の読取が行われる（図５ｆ）。
【００４０】
第２読取位置通過後、原稿Ｄ２はゲートＧ１によりガイドされてスイッチバック部ＳＷに進入し（図５ｇ、図５ｈ）、スイッチバック部ＳＷからゲートＧ２によりガイドされて、排紙トレイＴＲ２に排出される（図５ｉ）。
【００４１】
２枚目の原稿Ｄ２は１枚目の原稿Ｄ１がその第２面読取後、スイッチバック部ＳＷに進入する段階（図５ｈ）において第１読取位置Ｒ１に供給される。
【００４２】
原稿Ｄ２についても、原稿Ｄ１について説明した第１面、第２面の読取工程が実行された後に、排紙トレイＴＲ２に排出される。
【００４３】
片面読取の場合と同様に制御手段ＣＲはカラー原稿かモノクロ原稿かの情報により、読取手段ＳＫ１の出力又は読取手段ＳＫ２の出力を選択して用いる。
〔実施の形態２〕
次に、読取センサＳＫ１、ＳＫ２による片面読取及び両面読取について、読取センサＳＫ１がカラーセンサであり、読取センサＳＫ２がモノクロセンサである場合を例に説明する。
【００４４】
本実施の形態においては、読取センサＳＫ１による読取時は、原稿を低速搬送し、読取センサＳＫ２による読取においては、原稿を高速搬送する。
＜片面読取＞
カラー原稿の低速読取においては、図６ａ〜図６ｄに示すように、原稿Ｄ１、Ｄ２が連続搬送され、読取センサＳＫ１による読取が行われる。また、白黒原稿の高速読取においては、図７ａ〜図７ｄに示すように、原稿Ｄ１、Ｄ２が連続搬送され、読取センサＳＫ２による読取が行われる。
＜両面読取＞
カラー原稿の低速読取においては、図８ａ〜図８ｉに示すように、原稿Ｄ１、Ｄ２が連続搬送され、読取センサＳＫ１による読取が行われる（図８ａ、図８ｅ、図８ｈ）。また、白黒原稿の高速読取においては、図９ａ〜図９ｉに示すように、原稿Ｄ１、Ｄ２が連続搬送され、読取センサＳＫ２による読取が行われる（図９ｂ、図９ｆ、図９ｉ）。
【図面の簡単な説明】
【００４５】
【図１】本発明の実施の形態に係る複写装置の全体図である。
【図２】本発明の実施の形態に係る画像読取装置の構造を示す図である。
【図３】図２に示す画像読取装置の制御系のブロック図である。
【図４】実施の形態１における片面読取時の原稿読取装置の作動を示す図である。
【図５】実施の形態１における両面読取時の原稿読取装置の作動を示す図である。
【図６】実施の形態２における片面読取時の原稿読取装置の作動を示す図である。
【図７】実施の形態２における片面読取時の原稿読取装置の作動を示す図である。
【図８】実施の形態２における両面読取時の原稿読取装置の作動を示す図である。
【図９】実施の形態２における両面読取時の原稿読取装置の作動を示す図である。
【符号の説明】
【００４６】
Ｇ１、Ｇ２  ゲート
Ｇ２  第２ゲート
Ｐ１  給紙路
ＰＣ  円形搬送路
ＳＫ１、ＳＫ２  読取センサ
ＳＷ  スイッチバック部
【図１】
2007074487.tif 000003
【図２】
2007074487.tif 000004
【図３】
2007074487.tif 000005
【図４】
2007074487.tif 000006
【図５】
2007074487.tif 000007
【図６】
2007074487.tif 000008
【図７】
2007074487.tif 000009
【図８】
2007074487.tif 000010
【図９】
2007074487.tif 000011